(57)【要約】      （修正有）【課題】建物の外壁や軒先、軒天井に露出して取付けられた排水管や雨樋等のパイプを見えないように、覆い隠すパイプカバーボックスを提供する。【解決手段】（イ）建物の外壁に配管された排水管や雨樋等のパイプに、四角や半円等のパイプカバーボックス１を上からかぶせて取付けて、壁や天井等とパイプカバーボックスとの間の隙間をなくしてパイプを覆い隠す。（ロ）横雨樋の付いた軒先に、雨樋用カバーボックス２を取付けて横雨樋を覆い隠す。（ハ）四角や半円等にしたパイプカバーボックスの中を筒状にした、パイプ兼用ボックスを壁や天井に取付けてパイプの配管を省略できるようにした。（ニ）雨樋用カバーボックスをＵ字型にして溝を設けた、溝付雨樋ボックスを軒先に取付けて雨樋の取付けを省略した。（ホ）パイプの外形の一面を平面にして、直接壁や天井に取付けられるようにした直付パイプを使用してパイプと壁や天井などとの隙間をなくす。【選択図】図１
2009191592.tif 000002
【特許請求の範囲】
【請求項１】
（イ）壁や天井等に露出した排水管や雨樋等のパイプに、四角や半円等にしたパイプカバーボックス（１）を被せてパイプを覆い隠す。
（ロ）横雨樋が取付けられた軒先に雨樋用カバーボックス（２）を被せて、横雨樋を覆い隠す。
（ハ）パイプカバーボックスの内側を筒状にして、壁や天井に直接配管できるパイプ付カバーボックス（１１）。
（ニ）横雨樋用カバーボックスをＵ字型にして溝を設けて、屋根や霧よけなどの軒先に直接取付けられるようにした溝付雨樋用カバーボックス（１２）。
（ホ）パイプの外形の一面を平面にして、直接壁や天井に取付けられるようにした直付パイプ（１６）。
以上の構成よりなるパイプカバーボックス。
【発明の詳細な説明】
【技術分野】
【０００１】  この発明は、建物の外壁や軒先、軒天井などに配管された排水管や雨樋などをボックスで覆い隠し、ボックスも建物の一部としてデザインできるようにしたパイプカバーボックスに関するものである。
【背景技術】
【０００２】  従来、排水管や雨樋等は建物の外観のデザインに関係なく配管されて、しかも塗装したりタイル等を貼ったりすることもなく決められた色の中からパイプを選んで取付けるので建物と一体感がなく、さらに壁や天井などとパイプには隙間が出来て浮き上がっていた。
【発明の開示】
【発明が解決しようとする課題】
【０００３】  これは、次のような欠点があった。
従来、排水管や雨樋等を壁や天井に取付けるとパイプと外壁の間に隙間ができるので、パイプが建物から浮き上がって見えて美観を損ねた。さらにパイプが浮いているのでパイプを掴んで上り下りすることができ、防犯の上でも不備であった。
また、建物とパイプに一体感をだそうとパイプに塗装しても剥がれてしまうので限られたパイプの中から色を選択して取付けるしかなく、パイプが建物になじまず目障りであった。しかも、パイプなどは外壁塗装工事などの完了後に配管工事をするので、建築中に雨が降ると屋根からの雨が落ちて水溜りができたり泥がはねたりで建物も汚れ作業も手間取った。
【課題を解決するための手段】
【０００４】本発明は、以上のような欠点をなくすためになされたものである。
（イ）建物の外壁に配管された排水管や雨樋などのパイプに、四角や半円等で掴みにくくしたパイプカバーボックス（１）を上からかぶせて取付けて、壁や天井などとパイプカバーボックスとの間の隙間をなくしてパイプを覆い隠す。
（ロ）雨樋の付いた軒先に、雨樋用カバーボックス（２）を取付けて雨樋を覆い隠す。
（ハ）四角や半円等にしたパイプカバーボックスの中を筒状にした、パイプ付ボックス（１１）を壁や天井に取付けてパイプの配管を省略する。
（ニ）雨樋用カバーボックスをＵ字型にして溝を設けた、溝付雨樋用カバーボックス（１２）を取付けて雨樋の取付けを省略する。
（ホ）パイプの外形の一面を平面にして、直接壁や天井に取付けられるようにした直付パイプ（１６）を使用してパイプと壁や天井などとの隙間をなくす。
本発明は、以上の構成よりなるパイプカバーボックスである。
【発明の効果】
【０００５】（イ）四角や半円等にしたパイプカバーボックスで壁や天井に露出配管されたパイプ類を覆い隠すことにより、パイプをつたって上り下りが出来なくなるので防犯に役立つ。
（ロ）建物の外観も目障りなパイプが隠れ、さらにパイプカバーボックスに塗装やタイルなどを貼ることで外観もすっきりする。
（ハ）新築や増改築する建物などは、排水管などのパイプ類の配管の位置などを考慮することで、パイプカバーボックス自体も建物の一部としてデザインでき、塗装やタイルなどを張ることでメリハリのある建物ができる。またパイプ付カバーボックスや溝付雨樋用カバーボックス、直付パイプを使用するとパイプの配管を省略できる。
（ニ）建物の屋根や壁面工事終了後すぐにパイプカバーボックスの取付け工事が出来るので工程も短縮でき、取付け後は雨水処理もできるので現場が汚れずにすむ。
（ホ）雨樋に雪が積もってもパイプカバーボックスを取付けることで雨樋が曲がったり折れたりしないので安心である。しかもパイプの色あせも隠せて劣化も防止できる。
【発明を実施するための最良の形態】
【０００６】  以下、本発明を実施するための最良の形態について説明する。
（イ）外壁や天井に露出して配管されているパイプに、表面が四角や半円等で掴みにくくしたパイプカバーボックス（１）を上からかぶせて取付けて、壁や天井などとパイプカバーボックスなどとの間の隙間をなくしてパイプを覆い隠す。
天井から壁に曲がって配管されたパイプには軒天用カバーボックス（８）やＬ字型やＴ字型などに配管されたパイプにはＬ字型カバーボックス（３）やＴ字型カバーボックス（４）、Ｉ字型カバーボックス（５）を取付ける。
（ロ）横雨樋の付いた軒先に、雨樋用カバーボックス（２）や雨樋マス用カバーボックス（７）を取付けて雨樋やマスを覆い隠す。
（ハ）新規に排水管などを取付ける場合にはパイプカバーボックスを箱状にして箱の中を筒状にしてパイプとなるパイプ兼用ボックス（１１）を使用してパイプの取付けを省略する。
（ニ）横雨樋を取付ける位置に、雨樋用カバーボックスをＵ字型にして溝をつけた、溝付雨樋ボックス（１２）を使用して横雨樋の取付けを省略する。
（ホ）パイプの外形の一面を平面にして壁や天井などに隙間無くビス止めできるようにして、壁や天井にパイプを直接取付けて外装工事時に直接モルタルや塗装、タイルなどを貼れるようにした直付パイプ（１６）を取り付けてパイプの取付けを省略する。
（ヘ）上下階のベランダの壁と壁などに配管されて一部が壁なしで露出されたパイプには四方を包める露出用カバーボックス（６）を取付けてパイプを覆い隠す。
（ト）既存の建物に配管されたパイプを上から被せて取付けるパイプカバーボックスなどや雨樋用カバーボックスなどの部材には不燃材も用意する。
（チ）パイプカバーボックスなどを壁や天井などに取り付ける方法はビス止めに限らず、壁や軒先、天井などにボックスを受けるホック受け金具を取付け、ボックスにはホックを取付けてパイプカバーボックスなどを留めて固定できる方法でもよい。
本発明は、以上のような構造でこれから建築する建物や既存の建物に利用するとよい。
【図面の簡単な説明】
【０００７】
【図１】本発明の斜視図である。
【図２】本発明の斜視図である。
【符号の説明】
【０００８】１  パイプカバーボックス  ２  雨樋用カバーボックス  ３  Ｌ字型カバーボックス
４  Ｔ字型カバーボックス  ５  Ｉ字型カバーボックス  ６  露出用カバーボックス
７  雨樋マス用カバーボックス  ８  軒天用カバーボックス  ９  マスカバーボックス
１０  雨樋用キャプ
１１パイプ兼用ボックス  １２溝付雨樋ボックス  １３  Ｌ字型パイプ兼用ボックス
１４  Ｔ字型パイプ兼用ボックス  １５  Ｉ字型パイプ兼用ボックス  １６直付パイプ
１７雨樋マス兼用ボックス  １８軒天兼用ボックス  １９パイプ取付け用ボックス
２０雨樋用キャプボックス  ２１パイプ取付け用ボックス（断面図）
【図１】
2009191592.tif 000003
【図２】
2009191592.tif 000004